(57)【要約】  この燃料電池システムは、原燃料及び水を改質触媒で改質することにより、水素を含有する改質ガスを生成する改質器と、改質ガスを用いて、セル部で発電を行う燃料電池と、改質触媒に原燃料を導入する原燃料導入部と、改質触媒における未改質ガス発生情報を取得する未改質ガス発生情報取得部と、未改質ガス発生情報取得部によって取得された未改質ガス発生情報に基づいて、原燃料導入部に対して原燃料の導入量を減少させる導入量減少制御を行う制御部と、を備えている。
2011118775.tif 000002
【特許請求の範囲】
【請求項１】
原燃料及び水を改質触媒で改質することにより、水素を含有する改質ガスを生成する改質器と、
前記改質ガスを用いて、セル部で発電を行う燃料電池と、
前記改質触媒に前記原燃料を導入する原燃料導入部と、
前記改質触媒における未改質ガス発生情報を取得する未改質ガス発生情報取得部と、
前記未改質ガス発生情報取得部によって取得された前記未改質ガス発生情報に基づいて、前記原燃料導入部に対して前記原燃料の導入量を減少させる導入量減少制御を行う制御部と、を備えることを特徴とする燃料電池システム。
【請求項２】
前記制御部は、前記燃料電池に対して発電量を抑制させる発電量抑制制御を更に行うことを特徴とする請求項１記載の燃料電池システム。
【請求項３】
前記未改質ガス発生情報は前記改質触媒の温度であり、前記未改質ガス発生情報取得部は前記改質触媒の温度を検出する触媒温度検出部であることを特徴とする請求項１又は２記載の燃料電池システム。
【請求項４】
前記制御部は、前記触媒温度検出部によって検出される前記温度が、未改質ガス発生温度よりも高い第１閾値以下である場合に、前記原燃料導入部に対して前記原燃料の導入量を減少させる導入量減少制御を行うことを特徴とする請求項３記載の燃料電池システム。
【請求項５】
前記制御部は、前記触媒温度検出部によって検出される前記温度が、未改質ガス発生温度よりも高い第１閾値以下である場合に、前記燃料電池に対して発電量を抑制させる発電量抑制制御を行うことを特徴とする請求項３又は４記載の燃料電池システム。
【請求項６】
前記第１閾値は、前記導入量減少制御が行われない場合における前記原燃料の前記改質触媒への導入量に応じて、予め定められていることを特徴とする請求項４又は５記載の燃料電池システム。
【請求項７】
前記制御部は、前記導入量減少制御を開始してから第１時間が経過した後、前記触媒温度検出部によって検出される前記温度が前記未改質ガス発生温度よりも高く前記第１閾値よりも低い第２閾値未満である場合に、前記原燃料導入部に対して前記原燃料の導入を停止させる導入停止制御を行うことを特徴とする請求項４〜６のいずれか一項記載の燃料電池システム。
【請求項８】
前記第２閾値は、前記導入量減少制御が行われた場合における前記原燃料の前記改質触媒への導入量に応じて、予め定められていることを特徴とする請求項７記載の燃料電池システム。
【請求項９】
前記制御部は、前記導入量減少制御を開始してから、前記第１時間に続く第２時間が経過した後、前記触媒温度検出部によって検出される前記温度が前記第１閾値よりも高い第３閾値以上である場合に、前記導入量減少制御を解除することを特徴とする請求項４〜８のいずれか一項記載の燃料電池システム。
【請求項１０】
前記セル部の温度を検出するセル部温度検出部を更に備え、
前記制御部は、前記導入量減少制御を開始してから、前記第１時間に続く第２時間が経過した後、前記触媒温度検出部によって検出される前記温度が前記第１閾値よりも高い第３閾値以上であり、且つ前記セル部温度検出部によって検出される前記温度が予め定められた第４閾値以上である場合に、前記導入量減少制御を解除することを特徴とする請求項４〜８のいずれか一項記載の燃料電池システム。
【請求項１１】
前記第３閾値は、前記導入量減少制御が行われた場合における前記原燃料の前記改質触媒への導入量に応じて、予め定められていることを特徴とする請求項９又は１０記載の燃料電池システム。
【請求項１２】
前記第４閾値は、前記導入量減少制御が行われない場合における前記原燃料の前記改質触媒への導入量に応じて、予め定められていることを特徴とする請求項１０記載の燃料電池システム。
【請求項１３】
原燃料及び水を改質触媒で改質することにより、水素を含有する改質ガスを生成する改質器と、
前記改質触媒に前記原燃料を導入する原燃料導入部と、
前記改質触媒における未改質ガス発生情報を取得する未改質ガス発生情報取得部と、
前記未改質ガス発生情報取得部によって取得された前記未改質ガス発生情報に基づいて、前記原燃料導入部に対して前記原燃料の導入量を減少させる導入量減少制御を行う制御部と、を備えることを特徴とする改質器システム。
【請求項１４】
原燃料及び水を改質触媒で改質することにより、水素を含有する改質ガスを生成する改質器と、前記改質ガスを用いて、セル部で発電を行う燃料電池と、前記改質触媒に前記原燃料を導入する原燃料導入部と、前記改質触媒における未改質ガス発生情報を取得する未改質ガス発生情報取得部と、を備える燃料電池システムの運転方法であって、
前記未改質ガス発生情報取得部によって取得された前記未改質ガス発生情報に基づいて、前記原燃料導入部に対して前記原燃料の導入量を減少させる導入量減少制御ステップを含むことを特徴とする燃料電池システムの運転方法。
【発明の詳細な説明】
【技術分野】
【０００１】
本発明は、原燃料を改質触媒で改質することにより改質ガスを生成する改質器を備える改質器システム、改質ガスを燃料として用いる燃料電池を更に備える燃料電池システム、及びその運転方法に関する。
【背景技術】
【０００２】
従来の燃料電池システムとして、固体酸化物形燃料電池での発電を停止する際に、液体窒素貯蔵タンクに貯蔵された窒素を燃料電池の燃料極に供給する燃料極窒素供給設備を備えるものが知られている（例えば、特許文献１参照）。このような燃料電池システムによれば、固体酸化物形燃料電池での発電を停止する際に、燃料電池において、燃料極に用いられるニッケル等が酸化して膨張するのを防止することができ、その結果、イットリア安定化ジルコニア等からなる電解質が破損するのを回避することが可能となる。
【先行技術文献】
【特許文献】
【０００３】
【特許文献１】特開２００４−２２０９４２号公報
【発明の概要】
【発明が解決しようとする課題】
【０００４】
しかしながら、上述したような従来の燃料電池システムでは、燃料電池での発電を停止するにあたり燃料電池にダメージが与えられるのを回避することはできるものの、燃料電池での発電中におけるダメージ対策については考慮されていない。燃料電池での発電中には、発電のための原燃料を改質触媒で改質して改質ガスを燃料電池に供給する際、原燃料が十分に改質されずに未改質ガスの状態で燃料電池に流入するような事態が生じ得る。このような事態が生じた場合、従来の燃料電池システムでは、未改質ガスの流入によって発電中の燃料電池にダメージを与えてしまうという問題がある。【０００５】
そこで本発明は、上記の技術課題を解決するためになされたものであり、発電中の燃料電池にダメージが与えられるのを回避することができる燃料電池システム、改質器システム、及び燃料電池システムの運転方法を提供することを目的とする。
【課題を解決するための手段】
【０００６】
上記目的を達成するために、本発明に係る燃料電池システムは、原燃料及び水を改質触媒で改質することにより、水素を含有する改質ガスを生成する改質器と、改質ガスを用いて、セル部で発電を行う燃料電池と、改質触媒に原燃料を導入する原燃料導入部と、改質触媒における未改質ガス発生情報を取得する未改質ガス発生情報取得部と、未改質ガス発生情報取得部によって取得された未改質ガス発生情報に基づいて、原燃料導入部に対して原燃料の導入量を減少させる導入量減少制御を行う制御部と、を備えることを特徴とする。【０００７】
また、本発明に係る改質器システムは、原燃料及び水を改質触媒で改質することにより、水素を含有する改質ガスを生成する改質器と、改質触媒に原燃料を導入する原燃料導入部と、改質触媒における未改質ガス発生情報を取得する未改質ガス発生情報取得部と、未改質ガス発生情報取得部によって取得された未改質ガス発生情報に基づいて、原燃料導入部に対して原燃料の導入量を減少させる導入量減少制御を行う制御部と、を備えることを特徴とする。【０００８】
更に、本発明に係る燃料電池システムの運転方法は、原燃料及び水を改質触媒で改質することにより、水素を含有する改質ガスを生成する改質器と、改質ガスを用いて、セル部で発電を行う燃料電池と、改質触媒に原燃料を導入する原燃料導入部と、改質触媒における未改質ガス発生情報を取得する未改質ガス発生情報取得部と、を備える燃料電池システムの運転方法であって、未改質ガス発生情報取得部によって取得された未改質ガス発生情報に基づいて、原燃料導入部に対して原燃料の導入量を減少させる導入量減少制御ステップを含むことを特徴とする。【０００９】
これらの燃料電池システム、改質器システム、及び燃料電池システムの運転方法では、未改質ガス発生情報取得部によって改質触媒における未改質ガス発生情報が取得され、この未改質ガス発生情報に基づいて、制御部の導入量減少制御によって、原燃料導入部に対して原燃料の導入量が減少させられる。ここで、「導入量」は、「単位時間あたりに導入される量」を意味する。原燃料及び水を改質触媒で改質することにより改質ガスを生成する反応は、吸熱反応である。そのため、原燃料の導入量が減少させられることにより、改質ガスの生成量と共に吸熱量は減少する。よって、改質触媒の温度が未改質ガス発生温度に降下することを防止できる。これにより、未改質ガスの発生が防止されて、改質ガスが燃料電池に供給されることになる。従って、発電中の燃料電池にダメージが与えられるのを回避することができる。ここで、未改質ガス発生情報とは、未改質ガスの発生可能性に関する情報である。【００１０】
また、制御部は、燃料電池に対して発電量を抑制させる発電量抑制制御を更に行う態様とすることができる。【００１１】
この燃料電池システムによれば、原燃料の導入量が減少させられると、これに伴い改質ガスの生成量が減少するが、原燃料の導入量が減少させられるのと同時に、燃料電池に対して発電量が抑制させられる。よって、改質器及び燃料電池のバランスを好適に維持することができる。【００１２】
また、未改質ガス発生情報は改質触媒の温度であり、未改質ガス発生情報取得部は改質触媒の温度を検出する触媒温度検出部である態様とすることができる。【００１３】
改質触媒の温度は、未改質ガスの発生の有無に大きく影響する。この燃料電池システムによれば、改質触媒の温度を未改質ガス発生情報とするため、未改質ガスの発生がより確実に防止される。【００１４】
また、制御部は、触媒温度検出部によって検出される温度が、未改質ガス発生温度よりも高い第１閾値以下である場合に、原燃料導入部に対して原燃料の導入量を減少させる導入量減少制御を行う態様とすることができる。【００１５】
この燃料電池システムによれば、触媒温度検出部によって検出される改質触媒の温度が未改質ガス発生温度よりも高い第１閾値以下である場合に、制御部の導入量減少制御によって、原燃料導入部に対して原燃料の導入量が減少させられる。原燃料及び水を改質触媒で改質することにより改質ガスを生成する反応は、吸熱反応である。そのため、原燃料の導入量が減少させられることにより、改質ガスの生成量と共に吸熱量は減少する。よって、改質触媒の温度が未改質ガス発生温度に降下することを防止できる。これにより、未改質ガスの発生が防止されて、改質ガスが燃料電池に供給されることになる。従って、発電中の燃料電池にダメージが与えられるのを回避することができる。【００１６】
また、制御部は、触媒温度検出部によって検出される温度が、未改質ガス発生温度よりも高い第１閾値以下である場合に、燃料電池に対して発電量を抑制させる発電量抑制制御を行う態様とすることができる。【００１７】
この燃料電池システムによれば、原燃料の導入量が減少させられると、これに伴い改質ガスの生成量が減少するが、原燃料の導入量が減少させられるのと同時に、燃料電池に対して発電量が抑制させられる。よって、改質器及び燃料電池のバランスを好適に維持することができる。【００１８】
また、第１閾値は、導入量減少制御が行われない場合における原燃料の改質触媒への導入量に応じて、予め定められている態様とすることができる。【００１９】
通常、未改質ガス発生温度は、導入量減少制御が行われない場合における原燃料の改質触媒への導入量によって決まる。この改質器システムによれば、導入量減少制御が行われない場合における原燃料の改質触媒への導入量に応じて第１閾値が予め定められるため、未改質ガスの発生をより一層効果的に防止することができる。【００２０】
また、制御部は、導入量減少制御を開始してから第１時間が経過した後、触媒温度検出部によって検出される温度が未改質ガス発生温度よりも高く第１閾値よりも低い第２閾値未満である場合に、原燃料導入部に対して原燃料の導入を停止させる導入停止制御を行う態様とすることができる。【００２１】
この燃料電池システムによれば、触媒温度検出部によって検出される温度が未改質ガス発生温度よりも高い第２閾値未満である場合に、制御部によって導入停止制御が行われ、原燃料の導入が停止させられる。このように原燃料の導入が停止させられると、改質器における改質ガスの生成反応が停止すると共に、未改質ガスの発生が防止される。よって、燃料電池にダメージが与えられるのを回避することができる。【００２２】
また、第２閾値は、導入量減少制御が行われた場合における原燃料の改質触媒への導入量に応じて、予め定められている態様とすることができる。【００２３】
この燃料電池システムによれば、導入量減少制御が行われた場合における原燃料の改質触媒への導入量に応じて第２閾値が予め定められるため、未改質ガスの発生をより一層効果的に防止することができる。【００２４】
また、制御部は、導入量減少制御を開始してから、第１時間に続く第２時間が経過した後、触媒温度検出部によって検出される温度が前記第１閾値よりも高い第３閾値以上である場合に、導入量減少制御を解除する態様とすることができる。【００２５】
この燃料電池システムによれば、触媒温度検出部によって検出される温度が第１閾値よりも高い第３閾値以上である場合に、制御部によって、原燃料の導入量減少制御が解除される。このような制御により、改質器において、未改質ガスの発生を防止しつつ改質ガスの生成量を回復させることができる。よって、燃料電池にダメージを与えることなく燃料電池での発電量を回復させることができる。【００２６】
また、セル部の温度を検出するセル部温度検出部を更に備え、制御部は、導入量減少制御を開始してから、第１時間に続く第２時間が経過した後、触媒温度検出部によって検出される温度が第１閾値よりも高い第３閾値以上であり、且つセル部温度検出部によって検出される温度が予め定められた第４閾値以上である場合に、導入量減少制御を解除する態様とすることができる。【００２７】
この燃料電池システムによれば、触媒温度検出部によって検出される温度が第１閾値よりも高い第３閾値以上であり、且つセル部温度検出部によって検出される温度が予め定められた第４閾値以上である場合に、制御部によって、原燃料の導入量減少制御が解除される。このような制御により、改質器において、未改質ガスの発生を防止しつつ改質ガスの生成量を回復させることができると共に、燃料電池において、生成量が回復された改質ガスを用いてセル部で好適な発電を行うことができる。よって、燃料電池にダメージを与えることなく燃料電池での発電量を回復させることができる。【００２８】
また、第３閾値は、導入量減少制御が行われた場合における原燃料の改質触媒への導入量に応じて、予め定められている態様とすることができる。【００２９】
この燃料電池システムによれば、導入量減少制御が行われた場合における原燃料の改質触媒への導入量に応じて第３閾値が予め定められるため、未改質ガスの発生をより一層効果的に防止することができる。【００３０】
また、第４閾値は、導入量減少制御が行われない場合における原燃料の改質触媒への導入量に応じて、予め定められている態様とすることができる。【００３１】
この燃料電池システムによれば、導入量減少制御が行われない場合における原燃料の改質触媒への導入量に応じて第４閾値が予め定められるため、未改質ガスの発生をより一層効果的に防止することができる。
【発明の効果】
【００３２】
本発明によれば、発電中の燃料電池にダメージが与えられるのを回避することができる。
【図面の簡単な説明】
【００３３】
【図１】本発明に係る燃料電池システムの一実施形態を概略的に示すブロック図である。
【図２】図１に示される燃料電池システムにおける制御手順を示すフローチャートである。
【図３】図２に続く制御手順を示すフローチャートである。
【発明を実施するための形態】
【００３４】
以下、本発明の好適な実施形態について、図面を参照しながら説明する。
【００３５】
図１に示されるように、本実施形態の燃料電池システム１は、原燃料を改質触媒２ａで改質することにより、水素を含有する改質ガスを生成する改質器２と、改質ガスを燃料として用いる固体酸化物形燃料電池１２と、を備えている。
【００３６】
改質器２は、原燃料及び水蒸気（水）を改質触媒２ａで水蒸気改質反応させて、改質ガスを生成する。水蒸気改質反応は吸熱反応であるため、改質器２は、水蒸気改質反応に燃料電池１２の排熱を利用する。改質触媒２ａとしては、水蒸気改質触媒として公知の触媒を用いることができる。
【００３７】
原燃料としては、改質ガスの原料として固体酸化物形燃料電池の分野で公知の炭化水素系燃料、すなわち、分子中に炭素と水素とを含む化合物（酸素等、他の元素を含んでいてもよい）若しくはその混合物から適宜選んで用いることができる。例えば、炭化水素類、アルコール類、エーテル類等、分子中に炭素と水素とを含む化合物である。より具体的には、メタン、エタン、プロパン、ブタン、天然ガス、ＬＰＧ（液化石油ガス）、都市ガス、ガソリン、ナフサ、灯油、軽油等の炭化水素類、メタノール、エタノール等のアルコール類、ジメチルエーテル等のエーテル類等である。なかでも、灯油やＬＰＧは、入手が容易であるため好ましい。また、灯油やＬＰＧは、独立して貯蔵可能であるため、都市ガスのラインが普及していない地域において有用である。更に、灯油やＬＰＧを利用した固体酸化物形燃料電池は、非常用電源として有用である。
【００３８】
燃料電池１２は、改質器２で生成された改質ガスを燃料として用い、ＳＯＦＣ（Solid  Oxide  Fuel  Cells）と称される複数のセルを積層させてなるセルスタック１３で発電を行う。各セルは、固体酸化物である電解質が燃料極と空気極との間に配置されることで構成されている。電解質は、例えばイットリア安定化ジルコニア（ＹＳＺ）からなり、８００℃〜１０００℃の温度で酸化物イオンを伝導する。燃料極は、例えばニッケルとＹＳＺとの混合物からなり、酸化物イオンと改質ガス中の水素とを反応させて、電子及び水を発生させる。空気極は、例えばランタンストロンチウムマンガナイトからなり、空気中の酸素と電子とを反応させて、酸化物イオンを発生させる。
【００３９】
また、燃料電池システム１は、改質触媒２ａに原燃料を導入する原燃料導入装置（原燃料導入部）３と、改質触媒２ａに水蒸気を導入する水導入装置４と、カソード（空気極）に空気を導入するカソード用空気導入装置（不図示）と、を備えている。原燃料導入装置３は、原燃料を導入するための原燃料導入管や、原燃料の導入量を調節するための導入量調節弁等を有している。同様に、カソード用空気導入装置は、空気を導入するための空気導入管や、空気の導入量を調節するための導入量調節弁等を有している。また、水導入装置４は、水を導入するための水導入管や、水の導入量を調節するための導入量調節弁等を有している。本実施形態では、水導入装置４は、改質器２に水を導入する。この水は、改質器２ないし改質器２とは別体に設けられた気化器によって気化され、水蒸気として改質触媒２ａに導入される。
【００４０】
更に、燃料電池システム１は、システム全体を制御する制御装置（制御部）５と、改質触媒２ａの温度を検出する触媒温度検出器（触媒温度検出部）６と、燃料電池１２のセルスタック１３の温度を検出するセルスタック温度検出器（セル部温度検出部）１４と、を備えている。改質触媒２ａの温度は、未改質ガスの発生可能性に関する情報である未改質ガス発生情報に相当する。触媒温度検出器６は、未改質ガス発生情報取得部に相当する。
【００４１】
温度検出器６，１４は、例えば熱電対である。触媒温度検出器６は改質器２内における複数の位置に設けられており、各触媒温度検出器６の測温接点は、原燃料導入装置３によって導入される原燃料の流路の中心軸線上に配置されている。セルスタック温度検出器１４はセルスタック１３内における複数の位置に設けられており、各セルスタック温度検出器１４の測温接点は、セルスタック１３を構成するセル上又はセルの近傍に配置されている。
【００４２】
制御装置５は、操作者による操作に応じてシステム全体を起動させる制御を行う。また、制御装置５は、触媒温度検出器６によって検出される改質触媒２ａの温度及びセルスタック温度検出器１４によって検出されるセルスタック１３の温度を取得し、取得した各部の温度に基づいて原燃料導入装置３、水導入装置４、及び燃料電池１２を制御する。
【００４３】
より詳しくは、制御装置５は、改質触媒２ａの温度及びセルスタック１３の温度に基づいて所定の処理を実行することにより、原燃料導入装置３及び燃料電池１２に対して、改質器２及び燃料電池１２における負荷を抑制させるように指示する（以下、この指示を「改質器２及び燃料電池１２の負荷抑制指示」という）。すなわち、制御装置５は、原燃料導入装置３に対して原燃料の導入量を減少させる制御（導入量減少制御）を行う。また、制御装置５は、原燃料の導入量の減少制御と共に、燃料電池１２に対して発電量を抑制させる制御（発電量抑制制御）を行う。なお、この燃料電池１２に対する発電量の抑制制御では、制御装置５は、セルスタック１３の温度が作動温度の状態で燃料電池システム１を待機させるいわゆる「ホットスタンバイ」に移行する制御を行ってもよい。また、制御装置５は、原燃料の導入量の減少制御と共に、水導入装置４に対して水の導入量を減少させる制御を行ってもよい。
【００４４】
更に、制御装置５は、改質触媒２ａの温度及びセルスタック１３の温度に基づいて所定の処理を実行することにより、システムを停止させる。すなわち、制御装置５は、原燃料導入装置３に対して原燃料の導入を停止させる制御（導入停止制御）を行う。また、制御装置５は、原燃料の導入停止制御と共に、燃料電池１２に対して発電を停止させる制御を行う。このシステムの停止においては、燃料電池１２が水素を含有するガスを必要としない温度帯まで除冷しつつ改質を実施するのが好ましい。そのため、制御装置５は、原燃料導入装置３における原燃料の導入量を通常の運転時やホットスタンバイ状態から段階的に、又は連続的に（徐々に）下げて運転する。なお、制御装置５は、原燃料の導入停止制御と共に、水導入装置４に対して水の導入を停止させる制御を行ってもよい。この場合、制御装置５は、水導入装置４における水の導入量を通常の運転時やホットスタンバイ状態から段階的に、又は連続的に（徐々に）下げて運転する。
【００４５】
また、制御装置５は、改質触媒２ａの温度及びセルスタック１３の温度に基づいて所定の処理を実行することにより、原燃料導入装置３及び燃料電池１２に対して、改質器２及び燃料電池１２における負荷の抑制を解除するように指示する（以下、この指示を「改質器２及び燃料電池１２の負荷抑制解除」という）。すなわち、制御装置５は、原燃料導入装置３に対して原燃料の導入量を増加させる制御を行う。また、制御装置５は、原燃料の導入量の増加制御と共に、燃料電池１２に対して発電量を増加させる制御を行う。なお、制御装置５は、原燃料の導入量の増加制御と共に、水導入装置４に対して水の導入量を増加させる制御を行ってもよい。
【００４６】
更にまた、制御装置５は、上記した各制御に移行するか否かの判断基準となる複数の閾値（第１閾値〜第４閾値）を記憶している。これらの複数の閾値は、改質触媒２ａの温度又はセルスタック１３の温度に関する閾値である。また、制御装置５は、上記した各制御に移行するか否かの判断を行う時間を規制するための複数の時間（第１時間〜第３時間）を記憶している。第１閾値は、通常の発電運転時における原燃料の改質触媒２ａへの導入量に応じて、予め定められる値である。第２閾値及び第３閾値は、改質器２及び燃料電池１２の負荷抑制指示が行われた場合（すなわち負荷抑制後）における原燃料の改質触媒２ａへの導入量に応じて、予め定められる値である。第４閾値Ｔ４は、通常の発電運転時における原燃料の改質触媒２ａへの導入量や燃料電池１２での発電量等に応じて、予め定められる値である。
【００４７】
本実施形態では、これらの改質器２、原燃料導入装置３、水導入装置４、制御装置５及び触媒温度検出器６によって改質器システム１０が構成されている。
【００４８】
次に、燃料電池システム１の運転方法について図２及び図３を参照して説明する。図２及び図３に示される各処理は、制御装置５によって実行される。
【００４９】
まず、操作者による操作に応じてシステム全体が起動させられる。すなわち、制御装置５によって、改質器２、原燃料導入装置３、水導入装置４、及び燃料電池１２に対して起動工程を完了させるように指示が出される。これにより、システム全体が通常の発電運転モード（定常運転モード）に移行する。
【００５０】
続いて、図２に示されるように、触媒温度検出器６によって検出される改質触媒２ａの温度が第１閾値Ｔ１以下であるか否かが判断される（ステップＳ１）。この第１閾値Ｔ１は、未改質ガス発生温度と通常の発電運転時の改質触媒２ａの温度との間の温度であり、例えば原燃料が灯油の場合、４００℃〜７００℃の温度である。言い換えれば、第１閾値Ｔ１は、未改質ガス発生温度よりも高く、通常の発電運転時の改質触媒２ａの温度よりも低い温度である。ここでの判断処理に用いられる改質触媒２ａの温度は、各触媒温度検出器６で検出された複数の温度の平均値であってもよいし、特定の触媒温度検出器６で検出された温度であってもよい。以下、改質触媒２ａの温度に関する判断処理（Ｓ４，Ｓ７）においても同様とする。
【００５１】
ここで、未改質ガス発生温度は、原燃料が改質触媒２ａで完全に改質されず、燃料電池１２のセルスタック１３を構成するセルにダメージを与え得る炭素数２以上の炭化水素ガス（未改質ガス）が発生して改質ガスに混入し始める温度（いわゆる改質スリップが発生する始点となるスリップ温度）を意味する。これらの未改質ガス発生温度及び第１閾値Ｔ１は、改質器２及び燃料電池１２の負荷抑制指示が行われない時、すなわち通常の発電運転時における原燃料の改質触媒２ａへの導入量に応じて予め設定される。
【００５２】
改質触媒２ａの温度が第１閾値Ｔ１よりも高い場合、ステップＳ１の判断処理が繰り返される。
【００５３】
改質触媒２ａの温度が第１閾値Ｔ１以下である場合、改質器２及び燃料電池１２の負荷抑制指示が実行される（ステップＳ２）。すなわち、未改質ガス発生情報である改質触媒２ａの温度に基づいて、原燃料導入装置３に対して原燃料の導入量を減少させる制御が行われる。なお、原燃料の導入量の減少制御と共に、水導入装置４に対して水の導入量を減少させる制御が行われてもよい。この場合、水蒸気の導入量は、原燃料の導入量の減少に応じて減少させられる。また、燃料電池１２に対して発電量を抑制させる制御が行われる。このような制御により、改質器２における水蒸気改質反応（吸熱反応）に伴う吸熱量が減少するため、改質器２における熱バランスは良好な状態へと改善（復帰）される。
【００５４】
これらのステップＳ１及びステップＳ２は、導入量減少制御ステップ及び発電量抑制ステップに相当する。なお、改質器２が水蒸気過多の状態で運転されていた場合には、ステップＳ２において、水蒸気の導入量を原燃料の導入量に応じて増加させる制御が行われてもよい。
【００５５】
続いて、改質器２及び燃料電池１２の負荷抑制指示が開始されてから第１時間が経過したか否かが判断される（ステップＳ３）。この第１時間は、例えば通常の発電運転時における原燃料の改質触媒２ａへの導入量や燃料電池１２での発電量に応じて予め設定される。また、第１時間は、ステップＳ２における原燃料の導入量の減少量、水の導入量の減少量、又は燃料電池１２の発電量の抑制量に基づいて適宜設定されてもよい。ここで、第１時間が経過していない場合、ステップＳ３の判断処理が繰り返される。
【００５６】
第１時間が経過している場合、触媒温度検出器６によって検出される改質触媒２ａの温度が第２閾値Ｔ２以上であるか否かが判断される（ステップＳ４）。この第２閾値Ｔ２は、改質器２における熱バランスの良好性を判断するための指標であり、第１閾値Ｔ１と同様、未改質ガス発生温度と通常の発電運転時の改質触媒２ａの温度との間の温度とされる。好ましくは、第２閾値Ｔ２は、未改質ガス発生温度よりも高く、第１閾値Ｔ１よりも低い温度である。第２閾値Ｔ２は、触媒温度検出器６毎に適宜設定される。
【００５７】
改質触媒２ａの温度が第２閾値Ｔ２未満である場合、システムが停止させられる（ステップＳ５）。すなわち、原燃料導入装置３に対して原燃料の導入を停止させる制御が行われる。なお、原燃料の導入停止制御と共に、水導入装置４に対して水の導入を停止させる制御が行われてもよい。また、燃料電池１２での発電が停止させられる。これらの停止制御は、セルスタック１３の温度が室温の状態で燃料電池システム１が待機するいわゆる「コールドスタンバイ」に移行する制御であってもよいし、セルスタック１３の温度が作動温度の状態で燃料電池システム１が待機するいわゆる「ホットスタンバイ」に移行する制御であってもよい。このように、第２閾値Ｔ２は、運転下限温度としての意味も有している。すなわち、第２閾値Ｔ２は、改質器２の負荷を下げても熱バランスの崩れが止まらずに、未改質ガスの発生（改質スリップ）の危険性が極めて高い状態になるか否かを判定するための閾値である。ステップＳ５は、未改質ガスが発生する危険性が高い状態になると判定されるため、システムを停止する工程である。
【００５８】
なお、このステップＳ５におけるシステムの停止制御では、燃料電池１２が水素を含有するガスを必要としない温度帯まで除冷しつつ改質を実施するのが好ましい。そのため、原燃料導入装置３における原燃料の導入量を通常の運転時やホットスタンバイ状態から段階的に、又は連続的に（徐々に）下げて運転する停止工程に移行する。また、このような停止工程への移行が難しい場合には、原燃料導入装置３における原燃料の導入量を即座に停止することもできる。
【００５９】
改質触媒２ａの温度が第２閾値Ｔ２以上である場合、第１時間の経過時から更に第２時間が経過したか否かが判断される（ステップＳ６）。すなわち、改質器２及び燃料電池１２の負荷抑制指示が開始されてから、第１時間に続く第２時間が経過したか否かが判断される。この第２時間は、通常の発電運転時における原燃料の改質触媒２ａへの導入量や燃料電池１２での発電量等に応じて適宜設定される。ここで、第２時間が経過していない場合、ステップＳ４の判断処理に戻る。
【００６０】
燃料電池システム１では、ステップＳ４〜Ｓ６での処理により、第２時間内において一時的に改質器負荷量及び発電量を抑制している。更に、改質触媒２ａの熱バランスが危機的に崩れていないかを監視しつつ、自立運転への待機状態（自立待機状態）を保持し、また、第２時間内に熱バランスの良好性を判断している。そして、所定の熱バランス状態になっていない場合はシステム停止処理を実施する。また、第２時間内において所定の熱バランス状態になっている場合は、以下に説明する処理に移行し、自立待機状態を継続する。
【００６１】
ステップＳ６で第２時間が経過している場合、図３に示される処理に移行し、触媒温度検出器６によって検出される改質触媒２ａの温度が第３閾値Ｔ３以上であるか否かが判断される（ステップＳ７）。この第３閾値Ｔ３は、改質器２における熱バランスの良好性を判断するための指標であり、第２閾値Ｔ２と同様、未改質ガス発生温度と通常の発電運転時の改質触媒２ａの温度との間の温度とされる。好ましくは、第３閾値Ｔ３は、第１閾値Ｔ１よりも高く、通常の発電運転時の改質触媒２ａの温度以下の温度である。第３閾値Ｔ３は、触媒温度検出器６毎に適宜設定される。
【００６２】
改質触媒２ａの温度が第３閾値Ｔ３以上である場合、セルスタック温度検出器１４によって検出されるセルスタック１３の温度が第４閾値Ｔ４以上であるか否かが判断される（ステップＳ８）。この第４閾値Ｔ４は、通常の発電運転時のセルスタック１３の温度よりも低い温度である。第４閾値Ｔ４は、通常の発電運転時における原燃料の改質触媒２ａへの導入量や燃料電池１２での発電量等に応じて適宜設定される。また、ここでの判断処理に用いられるセルスタック１３の温度は、各セルスタック温度検出器１４で検出された複数の温度の平均値であってもよいし、特定のセルスタック温度検出器１４で検出された温度であってもよい。
【００６３】
そして、セルスタック１３の温度が第４閾値Ｔ４以上である場合、改質器２及び燃料電池１２の負荷抑制解除が実行される（ステップＳ９）。すなわち、原燃料導入装置３に対して原燃料の導入量を増加させる制御が行われる。なお、原燃料の導入量の増加制御と共に、水導入装置４に対して水の導入量を増加させる制御が行われてもよい。また、燃料電池１２に対して発電量を増加させる制御が行われる。このような制御により、燃料電池システム１は通常の発電運転モードへと復帰する。なお、ステップＳ２において水蒸気の導入量を原燃料の導入量に応じて増加させる制御が行われた場合には、このステップＳ９では、水蒸気の導入量を原燃料の導入量に応じて減少させる制御が行われることとなる。このステップＳ９の後、ステップＳ１の判断処理に戻る。
【００６４】
一方、ステップＳ７で改質触媒２ａの温度が第３閾値Ｔ３未満である場合、システムが停止させられる（ステップＳ１０）。ここでの停止制御は、ステップＳ５での停止制御と同様である。このように、第３閾値Ｔ３は、運転下限温度としての意味も有している。
【００６５】
また、ステップＳ８でセルスタック１３の温度が第４閾値Ｔ４未満である場合、第２時間の経過時から更に第３時間が経過したか否かが判断される（ステップＳ１１）。この第３時間は、通常の発電運転時における原燃料の改質触媒２ａへの導入量や燃料電池１２での発電量等に応じて適宜設定される。ここで、第３時間が経過していない場合、ステップＳ７の判断処理に戻る。
【００６６】
第３時間が経過している場合、システムが停止させられる（ステップＳ１２）。ここでの停止制御は、ステップＳ５，Ｓ１０での停止制御と同様である。このように、第４閾値Ｔ４は、運転下限温度としての意味も有している。また、第３時間は、通常の発電運転モードへ復帰する際の制限時間としての意味を有している。
【００６７】
燃料電池システム１では、ステップＳ７，Ｓ８，Ｓ１１での処理により、第３時間内において一時的に改質器負荷量及び発電量を抑制している。更に、改質触媒２ａの熱バランスが危機的に崩れていないかを監視しつつ、自立待機状態を保持し、また、第３時間内に熱バランスの良好性を判断している。そして、所定の熱バランス状態になっていない場合はシステム停止処理を実施する。また、第３時間内において所定の熱バランス状態になっている場合は、第３時間が終了したか否かの判断（カウントダウン）を解除し、通常の発電工程へ復帰する。
【００６８】
以上説明したように、改質器システム１０、燃料電池システム１、及びその運転方法では、触媒温度検出器６によって検出される改質触媒２ａの温度が未改質ガス発生温度よりも高い第１閾値Ｔ１以下である場合に、制御装置５によって、改質器２及び燃料電池１２の負荷抑制指示が実行される。原燃料及び水を改質触媒２ａで改質することにより改質ガスを生成する反応は、吸熱反応である。そのため、原燃料及び水の導入量が減少させられることにより、改質ガスの生成量と共に吸熱量は減少する。よって、改質触媒２ａの温度が未改質ガス発生温度に降下することを防止できる。これにより、未改質ガスの発生が防止されて、改質ガスが燃料電池１２に供給されることになる。従って、発電中の燃料電池１２にダメージが与えられるのを回避することができる。
【００６９】
改質触媒２ａの温度は、未改質ガスの発生の有無に大きく影響する。燃料電池システム１によれば、改質触媒２ａの温度を未改質ガス発生情報とするため、未改質ガスの発生がより確実に防止される。
【００７０】
また、原燃料の導入量が減少させられると、これに伴い改質ガスの生成量が減少するが、原燃料の導入量が減少させられるのと同時に、燃料電池１２に対して発電量が抑制させられる。よって、改質器２及び燃料電池１２のバランスを好適に維持することができる。
【００７１】
また、第１時間経過後の第２時間内において、触媒温度検出器６によって検出される温度が未改質ガス発生温度よりも高い第２閾値Ｔ２未満である場合に、制御装置５によってシステムが停止させられる。このようにシステムが停止させられると、改質器２における改質ガスの生成反応が停止すると共に、未改質ガスの発生が防止される。よって、燃料電池１２にダメージが与えられるのを回避することができる。また、このような停止制御を行う時間的基準となる第２時間を設けることにより、システムの安定性を高めることができる。
【００７２】
また、第２時間経過後の第３時間内において、触媒温度検出器６によって検出される温度が第１閾値Ｔ１よりも高い第３閾値Ｔ３以上であり、且つセルスタック温度検出器１４によって検出される温度が予め定められた第４閾値Ｔ４以上である場合に、制御装置５によって、改質器２及び燃料電池１２の負荷抑制解除が実行される。このような制御により、改質器２において、未改質ガスの発生を防止しつつ改質ガスの生成量を回復させることができると共に、燃料電池１２において、生成量が回復された改質ガスを用いてセルスタック１３で好適な発電を行うことができる。よって、燃料電池１２にダメージを与えることなく燃料電池１２での発電量を回復させることができる。
【００７３】
また、第２時間経過後の第３時間内において、触媒温度検出器６によって検出される温度が第３閾値Ｔ３未満である場合に、制御装置５によってシステムが停止させられる。このようにシステムが停止させられると、改質器２における改質ガスの生成反応が停止すると共に、未改質ガスの発生が防止される。よって、燃料電池１２にダメージが与えられるのを回避することができる。また、このような停止制御を行う時間的基準となる第３時間を設けることにより、システムの安定性をより一層高めることができる。
【００７４】
また、通常の発電運転時における原燃料の改質触媒２ａへの導入量に応じて第１閾値Ｔ１が予め定められるため、未改質ガスの発生をより一層効果的に防止することができる。
【００７５】
また、改質器２及び燃料電池１２の負荷抑制後における原燃料の改質触媒２ａへの導入量に応じて第２閾値Ｔ２及び第３閾値Ｔ３が予め定められるため、未改質ガスの発生をより一層効果的に防止することができる。
【００７６】
更にまた、通常の発電運転時における原燃料の改質触媒２ａへの導入量に応じて第４閾値Ｔ４が予め定められるため、未改質ガスの発生をより一層効果的に防止することができる。
【００７７】
以上、本発明の好適な実施形態について説明したが、本発明は上記実施形態に限定されるものではない。例えば、上記実施形態では、固体酸化物形燃料電池を用いる場合について説明したが、本発明は、固体高分子形燃料電池や溶融炭酸塩形燃料電池を用いた燃料電池システムにも適用できる。
【００７８】
また、上記実施形態では、第３時間内において、改質触媒２ａの温度が第３閾値Ｔ３以上であると、セルスタック１３の温度が第４閾値Ｔ４以上であるか否かを判断する場合について説明したが、ステップＳ８のセルスタック１３の温度に関する判断を省略することもできる。すなわち、第３時間内において、改質触媒２ａの温度が第３閾値Ｔ３以上である場合に、ステップＳ９の発電量抑制解除制御を実行してもよい。
【００７９】
また、燃料電池１２の通常の発電運転時に、改質器２で自己熱改質反応（ＡＴＲ）や部分酸化改質反応を実現させてもよい。それらの場合にも、改質器２の改質触媒２ａへの原燃料の導入量を減少させ、改質触媒２ａの温度が未改質ガス発生温度に降下する前に、改質触媒２ａの温度を上昇させれば、燃料電池１２での発電を停止する際に、簡単な構成で、未改質ガスの発生を防止することができ、燃料電池１２にダメージが与えられるのを回避することが可能となる。なお、それらの場合、改質触媒２ａとしては、オートサーマル改質（自己熱改質）触媒若しくは部分酸化改質触媒として公知の触媒を用いることができる。
【００８０】
更に、燃料電池システム１は、間接内部型ＳＯＦＣの公知の構成要素を必要に応じて適宜設けることができる。具体例を挙げれば、液体を気化させる気化器、各種流体を加圧するためのポンプ、圧縮機、ブロワ等の昇圧手段、流体の流量を調節するため、或いは流体の流れを遮断／切り替えるためのバルブ等の流量調節手段や流路遮断／切り替え手段、熱交換・熱回収を行うための熱交換器、気体を凝縮する凝縮器、スチーム等で各種機器を外熱する加熱／保温手段、炭化水素系燃料や可燃物の貯蔵手段、計装用の空気や電気系統、制御用の信号系統、制御装置、出力用や動力用の電気系統等である。
【００８１】
また、上記実施形態では、触媒温度検出器６によって検出される改質触媒２ａの温度が未改質ガス発生温度よりも高い第１閾値Ｔ１以下である場合に、制御装置５によって、改質器２及び燃料電池１２の負荷抑制指示が実行される場合について説明したが、負荷抑制指示が実行される判断基準は改質触媒２ａの温度に限られない。
【００８２】
すなわち、触媒温度検出器６によって検出される改質触媒２ａの温度に関する情報を取得する温度情報取得部を備え、温度情報取得部によって取得された温度情報に基づいて、制御装置５による負荷抑制指示を行うこととしてもよい。
【００８３】
また、上記実施形態では、第２閾値及び第３閾値が、改質器２及び燃料電池１２の負荷抑制後における原燃料の改質触媒２ａへの導入量に応じて予め定められる場合について説明したが、第２閾値及び第３閾値は、負荷抑制後の原燃料の導入量によらず、固定された値であってもよい。
【００８４】
また、制御装置５による負荷抑制指示は、改質触媒２ａ等の温度に関する情報のみならず、他の情報にも基づくことができる。例えば、改質器２において生成される改質ガスの組成（例えば水素の割合、未改質ガスの割合等）を検出する改質ガス組成検出装置（未改質ガス発生情報取得部）を備え、この改質ガス組成検出装置による改質ガスの組成の検出結果に基づいて、制御装置５による導入量減少制御や発電量抑制制御を行うようにしてもよい。この場合、改質ガス中の特定のガスの割合（例えば水素）が所定の閾値以下であることを導入量減少制御や発電量抑制制御を行う際の判定条件とすることができる。ここで、改質ガス組成検出装置によって検出される改質ガスの組成は、未改質ガス発生情報に相当する。なお、改質触媒２ａやセルスタック１３の温度に関する情報と改質ガスの組成とを未改質ガス発生情報として取得し、これらの情報に基づいて、導入量減少制御や発電量抑制制御を行うようにしてもよい。
【００８５】
このように、改質触媒２ａの温度を含む多様なパラメータから演算される情報に基づいて制御装置５による負荷抑制指示が実行されることで、より信頼性の高いシステムが実現可能となる。
【産業上の利用可能性】
【００８６】
本発明によれば、発電中の燃料電池にダメージが与えられるのを回避することができる。
【符号の説明】
【００８７】
１…燃料電池システム、２…改質器、２ａ…改質触媒、３…原燃料導入装置（原燃料導入部）、５…制御装置（制御部）、６…触媒温度検出器（触媒温度検出部）、１０…改質器システム、１２…燃料電池、１３…セルスタック（セル部）、１４…セルスタック温度検出器（セル部温度検出部）、Ｔ１〜Ｔ４…第１閾値〜第４閾値。
【図１】
2011118775.tif 000003
【図２】
2011118775.tif 000004
【図３】
2011118775.tif 000005
【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
原燃料及び水を改質触媒で改質することにより、水素を含有する改質ガスを生成する改質器と、
前記改質ガスを用いて、セル部で発電を行う燃料電池と、
前記改質触媒に前記原燃料を導入する原燃料導入部と、
前記改質触媒の温度を検出する触媒温度検出部と、
前記原燃料導入部に対して前記原燃料の導入量を減少させる導入量減少制御、および、前記燃料電池に対して発電量を抑制させる発電量抑制制御を行う制御部と、を備え、
前記制御部は、前記触媒温度検出部によって検出される前記温度が、予め定められる第１閾値以下である場合に、前記原燃料導入部に対して前記原燃料の導入量を減少させる導入量減少制御を行うとともに、前記燃料電池に対して発電量を抑制させる発電量抑制制御を行うことを特徴とする燃料電池システム。
【請求項２】
前記第１閾値は、未改質ガス発生温度よりも高い温度であることを特徴とする、請求項１に記載の燃料電池システム。
【請求項３】
前記第１閾値は、前記導入量減少制御が行われない場合における前記原燃料の前記改質触媒への導入量に応じて、予め定められていることを特徴とする請求項２に記載の燃料電池システム。
【請求項４】
前記制御部は、前記導入量減少制御を開始してから第１時間が経過した後、前記触媒温度検出部によって検出される前記温度が前記未改質ガス発生温度よりも高く前記第１閾値よりも低い第２閾値未満である場合に、前記原燃料導入部に対して前記原燃料の導入を停止させる導入停止制御を行うことを特徴とする請求項２または３に記載の燃料電池システム。
【請求項５】
前記第２閾値は、前記導入量減少制御が行われた場合における前記原燃料の前記改質触媒への導入量に応じて、予め定められていることを特徴とする請求項４に記載の燃料電池システム。
【請求項６】
前記制御部は、前記導入量減少制御を開始してから、前記第１時間に続く第２時間が経過した後、前記触媒温度検出部によって検出される前記温度が前記第１閾値よりも高い第３閾値以上である場合に、前記導入量減少制御を解除することを特徴とする請求項４または５に記載の燃料電池システム。
【請求項７】
前記セル部の温度を検出するセル部温度検出部を更に備え、
前記制御部は、前記導入量減少制御を開始してから、前記第１時間に続く第２時間が経過した後、前記触媒温度検出部によって検出される前記温度が前記第１閾値よりも高い第３閾値以上であり、且つ前記セル部温度検出部によって検出される前記温度が、通常の発電運転時の前記セル部の温度より低い第４閾値以上である場合に、前記導入量減少制御を解除することを特徴とする請求項４〜６のいずれか一項に記載の燃料電池システム。
【請求項８】
前記第３閾値は、前記導入量減少制御が行われた場合における前記原燃料の前記改質触媒への導入量に応じて、予め定められていることを特徴とする請求項６または７に記載の燃料電池システム。
【請求項９】
前記第４閾値は、前記導入量減少制御が行われない場合における前記原燃料の前記改質触媒への導入量に応じて、予め定められていることを特徴とする請求項７に記載の燃料電池システム。
【請求項１０】
原燃料及び水を改質触媒で改質することにより、水素を含有する改質ガスを生成する改質器と、
前記改質ガスを用いて、セル部で発電を行う燃料電池と、
前記改質触媒に前記原燃料を導入する原燃料導入部と、
前記改質触媒の温度を検出する触媒温度検出部と、を備える燃料電池システムの運転方法であって、
前記触媒温度検出部によって前記温度を取得する温度取得ステップと、
前記温度が予め定められる第１閾値以下である場合に、前記原燃料導入部に対して前記原燃料の導入量を減少させる導入量減少制御ステップと、
前記温度が前記第１閾値以下である場合に、前記燃料電池に対して発電量を抑制させる発電量抑制制御ステップと、を含むことを特徴とする燃料電池システムの運転方法。
【手続補正２】
【補正対象書類名】明細書
【補正対象項目名】０００６
【補正方法】変更
【補正の内容】
【０００６】
上記目的を達成するために、本発明に係る燃料電池システムは、原燃料及び水を改質触媒で改質することにより、水素を含有する改質ガスを生成する改質器と、改質ガスを用いて、セル部で発電を行う燃料電池と、改質触媒に原燃料を導入する原燃料導入部と、改質触媒の温度を検出する触媒温度検出部と、原燃料導入部に対して原燃料の導入量を減少させる導入量減少制御、および、燃料電池に対して発電量を抑制させる発電量抑制制御を行う制御部と、を備え、制御部は、触媒温度検出部によって検出される温度が、予め定められる第１閾値以下である場合に、原燃料導入部に対して原燃料の導入量を減少させる導入量減少制御を行うとともに、燃料電池に対して発電量を抑制させる発電量抑制制御を行うことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
更に、本発明に係る燃料電池システムの運転方法は、原燃料及び水を改質触媒で改質することにより、水素を含有する改質ガスを生成する改質器と、改質ガスを用いて、セル部で発電を行う燃料電池と、改質触媒に原燃料を導入する原燃料導入部と、改質触媒の温度を検出する触媒温度検出部と、を備える燃料電池システムの運転方法であって、触媒温度検出部によって温度を取得する温度取得ステップと、温度が予め定められる第１閾値以下である場合に、原燃料導入部に対して原燃料の導入量を減少させる導入量減少制御ステップと、温度が第１閾値以下である場合に、燃料電池に対して発電量を抑制させる発電量抑制制御ステップと、を含むことを特徴とする。
【手続補正５】
【補正対象書類名】明細書
【補正対象項目名】０００９
【補正方法】変更
【補正の内容】
【０００９】
これらの燃料電池システム及び燃料電池システムの運転方法では、触媒温度検出部によって改質触媒の温度が検出され、この温度が、予め定められる第１閾値以下である場合に、制御部の導入量減少制御によって、原燃料導入部に対して原燃料の導入量が減少させられる。ここで、「導入量」は、「単位時間あたりに導入される量」を意味する。原燃料及び水を改質触媒で改質することにより改質ガスを生成する反応は、吸熱反応である。そのため、原燃料の導入量が減少させられることにより、改質ガスの生成量と共に吸熱量は減少する。よって、改質触媒の温度が未改質ガス発生温度に降下することを防止できる。これにより、未改質ガスの発生が防止されて、改質ガスが燃料電池に供給されることになる。従って、発電中の燃料電池にダメージが与えられるのを回避することができる。また、原燃料の導入量が減少させられると、これに伴い改質ガスの生成量が減少するが、原燃料の導入量が減少させられるのと同時に、燃料電池に対して発電量が抑制させられる。よって、改質器及び燃料電池のバランスを好適に維持することができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
また、第１閾値は、未改質ガス発生温度よりも高い温度である態様とすることができる。
【手続補正１１】
【補正対象書類名】明細書
【補正対象項目名】００１５
【補正方法】変更
【補正の内容】
【００１５】
この燃料電池システムによれば、触媒温度検出部によって検出される改質触媒の温度が未改質ガス発生温度よりも高い第１閾値以下である場合に、制御部の導入量減少制御によって、原燃料導入部に対して原燃料の導入量が減少させられる。原燃料及び水を改質触媒で改質することにより改質ガスを生成する反応は、吸熱反応である。そのため、原燃料の導入量が減少させられることにより、改質ガスの生成量と共に吸熱量は減少する。よって、改質触媒の温度が未改質ガス発生温度に降下することを防止できる。これにより、未改質ガスの発生が防止されて、改質ガスが燃料電池に供給されることになる。従って、発電中の燃料電池にダメージが与えられるのを回避することができる。また、原燃料の導入量が減少させられると、これに伴い改質ガスの生成量が減少するが、原燃料の導入量が減少させられるのと同時に、燃料電池に対して発電量が抑制させられる。よって、改質器及び燃料電池のバランスを好適に維持することができる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００２６
【補正方法】変更
【補正の内容】
【００２６】
また、セル部の温度を検出するセル部温度検出部を更に備え、制御部は、導入量減少制御を開始してから、第１時間に続く第２時間が経過した後、触媒温度検出部によって検出される温度が第１閾値よりも高い第３閾値以上であり、且つセル部温度検出部によって検出される温度が、通常の発電運転時のセル部の温度より低い第４閾値以上である場合に、導入量減少制御を解除する態様とすることができる。
【手続補正１５】
【補正対象書類名】明細書
【補正対象項目名】００２７
【補正方法】変更
【補正の内容】
【００２７】
この燃料電池システムによれば、触媒温度検出部によって検出される温度が第１閾値よりも高い第３閾値以上であり、且つセル部温度検出部によって検出される温度が、通常の発電運転時のセル部の温度より低い第４閾値以上である場合に、制御部によって、原燃料の導入量減少制御が解除される。このような制御により、改質器において、未改質ガスの発生を防止しつつ改質ガスの生成量を回復させることができると共に、燃料電池において、生成量が回復された改質ガスを用いてセル部で好適な発電を行うことができる。よって、燃料電池にダメージを与えることなく燃料電池での発電量を回復させることができる。
【国際調査報告】
2011118775.tif 000006
2011118775.tif 000007
2011118775.tif 000008
2011118775.tif 000009
2011118775.tif 000010
2011118775.tif 000011
2011118775.tif 000012
2011118775.tif 000013